(57)【要約】【課題】  更なる水素透過効率の向上を図ることができる水素分離膜モジュール、および、水素精製装置，水素抽出方法を提供する。【解決手段】  水素分離膜モジュール１０は、水素分離膜２００と、水素含有ガスの流速を上流側から下流側にかけて減速させる供給ガス流路部１３０を形成する供給流路プレート１００と、パージガスの流速を上流側から下流側にかけて増速させる回収ガス流路部３３０を形成する回収流路プレート３００とを備える。【選択図】  図１
2005199117.tif 000002
【特許請求の範囲】
【請求項１】
水素を選択的に透過する水素分離膜を備えた水素分離膜モジュールであって、
水素を含有する水素含有ガスの供給を受け、該水素含有ガスを前記水素分離膜の一方の面上に流す第１のガス流路を形成する第１の流路形成部材と、
前記水素含有ガスに比べて水素濃度が十分に低いパージガスの供給を受け、該パージガスを前記水素分離膜の他方の面上に流す第２のガス流路を形成する第２の流路形成部材と
を備え、
前記第１の流路形成部材は、前記第１のガス流路内における前記水素含有ガスの流れの下流側の流速を該流れの上流側よりも減速させる減速変化を引き起こすように前記第１のガス流路を形成し、
前記第２の流路形成部材は、前記第２のガス流路内における前記パージガスの流れの下流側の流速を該流れの上流側よりも増速させる増速変化を引き起こすように前記第２のガス流路を形成する
水素分離膜モジュール。
【請求項２】
前記第１の流路形成部材と前記第２の流路形成部材とが同一形状である請求項１記載の水素分離膜モジュール。
【請求項３】
水素を選択的に透過する水素分離膜を備えた水素分離膜モジュールであって、
水素を含有する水素含有ガスの供給を受け、該水素含有ガスを前記水素分離膜の一方の面上に流す第１のガス流路を形成する第１の流路形成部材と、
前記水素含有ガスに比べて水素濃度が十分に低いパージガスの供給を受け、該パージガスを前記水素分離膜の他方の面上に流す第２のガス流路を形成する第２の流路形成部材と
を備え、
前記第１の流路形成部材は、前記第１のガス流路内における前記水素含有ガスの流れの下流側の流速を該流れの上流側よりも減速させる減速変化を引き起こすように前記第１のガス流路を形成する
水素分離膜モジュール。
【請求項４】
請求項１ないし３のいずれか記載の水素分離膜モジュールであって、
前記第１の流路形成部材は、前記第１のガス流路内における前記水素含有ガスの流れの上流側よりも下流側で該流路の流路幅，流路高さの少なくとも一方を大きくすることによって、該流れの上流側よりも下流側で流路断面積が拡大する前記第１のガス流路を形成する
水素分離膜モジュール。
【請求項５】
前記第１の流路形成部材は、前記第１のガス流路内における前記水素含有ガスの流れの上流側の該流路の壁面に凸部を有する前記第１のガス流路を形成する請求項１ないし４のいずれか記載の水素分離膜モジュール。
【請求項６】
前記第１の流路形成部材は、前記前記減速変化を漸減の状態で引き起こす前記第１のガス流路を形成する請求項１ないし５のいずれか記載の水素分離膜モジュール。
【請求項７】
請求項６記載の水素分離膜モジュールであって、
前記第１の流路形成部材は、前記第１のガス流路内における前記水素含有ガスの流れの上流側から下流側へと該流路の流路幅，流路高さの少なくとも一方を漸増することによって、該流れの上流側から下流側へと流路断面積が漸増する前記第１のガス流路を形成する
水素分離膜モジュール。
【請求項８】
水素を選択的に透過する水素分離膜を備えた水素分離膜モジュールであって、
水素を含有する水素含有ガスの供給を受け、該水素含有ガスを前記水素分離膜の一方の面上に流す第１のガス流路を形成する第１の流路形成部材と、
前記水素含有ガスに比べて水素濃度が十分に低いパージガスの供給を受け、該パージガスを前記水素分離膜の他方の面上に流す第２のガス流路を形成する第２の流路形成部材と
を備え、
前記第２の流路形成部材は、前記第２のガス流路内における前記パージガスの流れの下流側の流速を該流れの上流側よりも増速させる増速変化を引き起こすように前記第２のガス流路を形成する
水素分離膜モジュール。
【請求項９】
請求項１ないし８のいずれか記載の水素分離膜モジュールであって、
前記第２の流路形成部材は、前記第２のガス流路内における前記パージガスの流れの上流側よりも下流側で該流路の流路幅，流路高さの少なくとも一方を小さくすることによって、該流れの上流側よりも下流側で流路断面積が縮小する前記第２のガス流路を形成する
水素分離膜モジュール。
【請求項１０】
前記第２の流路形成部材は、前記第２のガス流路内における前記パージガスの流れの下流側の該流路の壁面に凸部を有する前記第２のガス流路を形成する請求項１ないし９のいずれか記載の水素分離膜モジュール。
【請求項１１】
前記第２の流路形成部材は、前記前記増速変化を漸増の状態で引き起こす前記第２のガス流路を形成する請求項１ないし１０のいずれか記載の水素分離膜モジュール。
【請求項１２】
請求項１１記載の水素分離膜モジュールであって、
前記第２の流路形成部材は、前記第２のガス流路内における前記パージガスの流れの上流側から下流側へと該流路の流路幅，流路高さの少なくとも一方を漸減することによって、該流れの上流側から下流側へと流路断面積が漸減する前記第２のガス流路を形成する
水素分離膜モジュール。
【請求項１３】
前記第１のガス流路内における前記水素含有ガスの流れ方向と、前記第２のガス流路内における前記パージガスの流れ方向とが対向する請求項１ないし１２のいずれか記載の水素分離膜モジュール。
【請求項１４】
前記水素分離膜における水素の透過が可能な水素透過部の面積が、前記第１のガス流路内における前記水素含有ガスの流れの上流側よりも下流側で大きくなる請求項１ないし１３のいずれか記載の水素分離膜モジュール。
【請求項１５】
水素を含有する水素含有ガス中の含有水素を抽出し水素の精製を行う水素精製装置であって、
水素を選択的に透過する水素分離膜と、
前記水素含有ガスの供給を受け、該水素含有ガスを前記水素分離膜の一方の面上に流す第１のガス流路を形成する第１の流路形成部材と、
前記水素含有ガスに比べて水素濃度が十分に低いパージガスの供給を受け、該パージガスを前記水素分離膜の他方の面上に流す第２のガス流路を形成する第２の流路形成部材と
を備え、
前記第１の流路形成部材は、前記第１のガス流路内における前記水素含有ガスの流れの下流側の流速を該流れの上流側よりも減速させる減速変化を引き起こすように前記第１のガス流路を形成し、
前記第２の流路形成部材は、前記第２のガス流路内における前記パージガスの流れの下流側の流速を該流れの上流側よりも増速させる増速変化を引き起こすように前記第２のガス流路を形成する
水素精製装置。
【請求項１６】
水素を選択的に透過する水素分離膜を用いて、水素を含有する水素含有ガスから、前記水素含有ガスに比べて水素濃度が十分に低いパージガスへと、水素を抽出する水素抽出方法であって、
前記水素分離膜の一方の面上に、前記水素含有ガスを、該水素含有ガスの流れの下流側の流速を該流れの上流側よりも減速させて流すとともに、
前記水素分離膜の他方の面上に、前記パージガスを、該パージガスの流れの下流側の流速を該流れの上流側よりも増速させて流す
水素抽出方法。
【発明の詳細な説明】
【技術分野】
【０００１】
本発明は、水素分離膜モジュールおよび水素精製装置，水素抽出方法に関するものである。
【背景技術】
【０００２】
水素を選択的に透過する水素分離膜を備えた水素分離膜モジュールとして、水素を含有する水素含有ガスを水素分離膜の一方の面に流す流路の層を形成する部材と、水素含有ガスに比べて水素濃度が十分に低いパージガスを水素分離膜の他方の面に流す流路の層を形成する部材とによって、水素分離膜を挟み込んだユニットを、複数積層したものがある。この水素分離膜モジュールに水素含有ガスとパージガスを供給し、水素分離膜で水素の透過を行わせることによって、水素含有ガスからパージガスへの水素の抽出を行うことができる。
【０００３】
水素分離膜での水素の透過は、水素分離膜を介して向き合う水素含有ガスとパージガスとの間の水素分圧差が大きいほど促進される。水素分離膜モジュール内を流れる水素含有ガスは、その流れの下流ほどパージガスへの含有水素の透過に伴って水素分圧が低下するため、水素を水素分離膜に提供する水素提供能力が低下する。一方、水素分離膜モジュール内を流れるパージガスは、その流れの下流ほど水素含有ガスからの水素の透過に伴って水素分圧が上昇するため、水素分離膜を透過した水素を回収する水素回収能力が低下する。
【０００４】
従来、水素分離膜を介して、水素含有ガスの下流側をパージガスの上流側に向き合わせ、水素含有ガスの上流側をパージガスの下流側に向き合わせた水素分離膜モジュールが提案されていた。この従来の水素分離膜モジュールは、水素含有ガスとパージガスとの間の水素分圧差を水素分離膜全体で確保することによって、水素透過効率を向上させることができる。つまり、水素提供能力が低下した水素含有ガスに、十分な水素回収能力を有するパージガスを向き合わせ、水素回収能力が低下したパージガスに、十分な水素提供能力を有する水素含有ガスを向き合わせることによって水素透過効率を向上させていた。下記特許文献には、水素含有ガスとパージガスとの間の水素分圧差（水素濃度差）を水素分離膜全体で確保する水素分離膜モジュールが記載されている。
【０００５】
【特許文献１】特開２００３−３４５０６号公報
【発明の開示】
【発明が解決しようとする課題】
【０００６】
しかしながら、水素提供能力が低下した下流側の水素含有ガス自体や、水素回収能力が低下した下流側のパージガス自体に対しての水素透過効率を向上させるための積極的な対処については、十分な検討がなされていなかった。
【０００７】
本発明は、上記した課題を解決することを目的としてなされ、更なる水素透過効率の向上を図ることができる水素分離膜モジュールおよび水素精製装置，水素抽出方法を提供することを目的とする。
【課題を解決するための手段】
【０００８】
上記した課題を解決するため、本発明の第１の水素分離膜モジュールは、水素を選択的に透過する水素分離膜を備えた水素分離膜モジュールであって、水素を含有する水素含有ガスの供給を受け、該水素含有ガスを前記水素分離膜の一方の面上に流す第１のガス流路を形成する第１の流路形成部材と、前記水素含有ガスに比べて水素濃度が十分に低いパージガスの供給を受け、該パージガスを前記水素分離膜の他方の面上に流す第２のガス流路を形成する第２の流路形成部材とを備え、前記第１の流路形成部材は、前記第１のガス流路内における前記水素含有ガスの流れの下流側の流速を該流れの上流側よりも減速させる減速変化を引き起こすように前記第１のガス流路を形成することを特徴とする。
【０００９】
この水素分離膜モジュールによれば、水素提供能力が低下した下流側の水素含有ガスを減速させ、水素含有ガスが水素分離膜の面上に滞留する滞留時間を延ばすことによって、下流側の水素含有ガスから水素分離膜に提供される水素提供量を増加させることができる。その結果、水素分離膜モジュール全体の水素透過効率を向上させることができる。
【００１０】
上記の構成を有する本発明の第１の水素分離膜モジュールは、以下の態様を採ることもできる。前記第１の流路形成部材は、前記第１のガス流路内における前記水素含有ガスの流れの上流側よりも下流側で該流路の流路幅，流路高さの少なくとも一方を大きくすることによって、該流れの上流側よりも下流側で流路断面積が拡大する前記第１のガス流路を形成することとしても良い。これによって、水素分離膜モジュールの部品構成を複雑化することなく、水素提供能力が低下した下流側の水素含有ガスを減速させることができる。
【００１１】
また、前記第１の流路形成部材は、前記第１のガス流路内における前記水素含有ガスの流れの上流側の該流路の壁面に凸部を有する前記第１のガス流路を形成することとしても良い。これによって、流路の全体形状を新たに設計変更することなく、水素提供能力が低下した下流側の水素含有ガスを減速させることができる。
【００１２】
また、前記第１の流路形成部材は、前記前記減速変化を漸減の状態で引き起こす第１のガス流路を形成することとしても良い。これによって、水素含有ガスの水素提供能力の低下に伴わせて、その滞留時間を延ばすことができる。その結果、より効果的に減速変化による水素提供量の増加を図ることができる。さらに、前記第１の流路形成部材は、前記第１のガス流路内における前記水素含有ガスの流れの上流側から下流側へと該流路の流路幅，流路高さの少なくとも一方を漸増することによって、該流れの上流側から下流側へと流路断面積が漸増する前記第１のガス流路を形成することとしても良い。これによって、水素分離膜モジュールの部品構成を複雑化することなく、減速変化を漸減の状態で引き起こすことができる。
【００１３】
上記した課題を解決するため、本発明の第２の水素分離膜モジュールは、水素を選択的に透過する水素分離膜を備えた水素分離膜モジュールであって、水素を含有する水素含有ガスの供給を受け、該水素含有ガスを前記水素分離膜の一方の面上に流す第１のガス流路を形成する第１の流路形成部材と、前記水素含有ガスに比べて水素濃度が十分に低いパージガスの供給を受け、該パージガスを前記水素分離膜の他方の面上に流す第２のガス流路を形成する第２の流路形成部材とを備え、前記第２の流路形成部材は、前記第２のガス流路内における前記パージガスの流れの下流側の流速を該流れの上流側よりも増速させる増速変化を引き起こすように前記第２のガス流路を形成することを特徴とする。
【００１４】
この水素分離膜モジュールによれば、水素回収能力が低下した下流側のパージガスを増速させ、パージガスが水素分離膜の面上から透過水素を取り去るスイープ効果を向上させることによって、下流側のパージガスが透過水素を回収する水素回収量を増加させることができる。その結果、水素分離膜モジュール全体の水素透過効率を向上させることができる。
【００１５】
上記の構成を有する本発明の第２の水素分離膜モジュールは、以下の態様を採ることもできる。前記第２の流路形成部材は、前記第２のガス流路内における前記パージガスの流れの上流側よりも下流側で該流路の流路幅，流路高さの少なくとも一方を小さくすることによって、該流れの上流側よりも下流側で流路断面積が縮小する前記第２のガス流路を形成することとしても良い。これによって、水素分離膜モジュールの部品構成を複雑化することなく、水素回収能力が低下した下流側のパージガスを増速させることができる。
【００１６】
また、前記第２の流路形成部材は、前記第２のガス流路内における前記パージガスの流れの下流側の該流路の壁面に凸部を有する前記第２のガス流路を形成することとしても良い。これによって、流路の全体形状を新たに設計変更することなく、水素回収能力が低下した下流側のパージガスを増速させることができる。
【００１７】
また、前記第２の流路形成部材は、前記前記増速変化を漸増の状態で引き起こす前記第２のガス流路を形成することとしても良い。これによって、パージガスの水素回収能力の低下に伴わせて、そのスイープ効果を向上させることができる。その結果、より効果的に増速変化による水素回収量の増加を図ることができる。さらに、前記第２の流路形成部材は、前記第２のガス流路内における前記パージガスの流れの上流側から下流側へと該流路の流路幅，流路高さの少なくとも一方を漸減することによって、該流れの上流側から下流側へと流路断面積が漸減する前記第２のガス流路を形成することとしても良い。これによって、水素分離膜モジュールの部品構成を複雑化することなく、増速変化を漸増の状態で引き起こすことができる。
【００１８】
上記した課題を解決するため、本発明の第３の水素分離膜モジュールは、水素を選択的に透過する水素分離膜を備えた水素分離膜モジュールであって、水素を含有する水素含有ガスの供給を受け、該水素含有ガスを前記水素分離膜の一方の面上に流す第１のガス流路を形成する第１の流路形成部材と、前記水素含有ガスに比べて水素濃度が十分に低いパージガスの供給を受け、該パージガスを前記水素分離膜の他方の面上に流す第２のガス流路を形成する第２の流路形成部材とを備え、前記第１の流路形成部材は、前記第１のガス流路内における前記水素含有ガスの流れの下流側の流速を該流れの上流側よりも減速させる減速変化を引き起こすように前記第１のガス流路を形成し、前記第２の流路形成部材は、前記第２のガス流路内における前記パージガスの流れの下流側の流速を該流れの上流側よりも増速させる増速変化を引き起こすように前記第２のガス流路を形成することを特徴とする。
【００１９】
この水素分離膜モジュールによれば、下流側の水素含有ガスの水素提供量の増加と、下流側のパージガスの水素回収量の増加とによって、水素分離膜モジュール全体の水素透過効率をより一層向上させることができる。
【００２０】
上記の構成を有する本発明の第３の水素分離膜モジュールは、前記第１の流路形成部材と前記第２の流路形成部材とが同一形状であることした態様を採ることもできる。これによって、水素分離膜モジュールを構成する部品の種類を削減することができる。この結果、水素分離膜モジュールの製造コスト削減を図ることができる。
【００２１】
前述した本発明の第１ないし３の水素分離膜モジュールは、以下の態様を採ることもできる。前記第１のガス流路内における前記水素含有ガスの流れ方向と、前記第２のガス流路内における前記パージガスの流れ方向とが対向することとしても良い。この水素分離膜モジュールによれば、前述の効果に加え、水素含有ガスとパージガスとの間の水素分圧差が水素分離膜全体で確保され、水素分離膜モジュール全体の水素透過効率を更に向上させることができる。
【００２２】
また、前記水素分離膜における水素の透過が可能な水素透過部の面積が、前記第１のガス流路内における前記水素含有ガスの流れの上流側よりも下流側で大きくなることとしても良い。この水素分離膜モジュールによれば、水素提供能力が低下した下流側の水素含有ガスが接触する水素透過部の面積を拡大させることによって、下流側の水素含有ガスから水素分離膜に提供される水素提供量を増加させることができる。その結果、前述の効果に加え、水素分離膜モジュール全体の水素透過効率を更に向上させることができる。
【００２３】
上記した課題を解決するため、本発明の水素精製装置は、水素を含有する水素含有ガス中の含有水素を抽出し水素の精製を行う水素精製装置であって、水素を選択的に透過する水素分離膜と、前記水素含有ガスの供給を受け、該水素含有ガスを前記水素分離膜の一方の面上に流す第１のガス流路を形成する第１の流路形成部材と、前記水素含有ガスに比べて水素濃度が十分に低いパージガスの供給を受け、該パージガスを前記水素分離膜の他方の面上に流す第２のガス流路を形成する第２の流路形成部材とを備え、前記第１の流路形成部材は、前記第１のガス流路内における前記水素含有ガスの流れの下流側の流速を該流れの上流側よりも減速させる減速変化を引き起こすように前記第１のガス流路を形成し、前記第２の流路形成部材は、前記第２のガス流路内における前記パージガスの流れの下流側の流速を該流れの上流側よりも増速させる増速変化を引き起こすように前記第２のガス流路を形成することを特徴とする。
【００２４】
この水素精製装置によれば、水素提供能力が低下した下流側の水素含有ガスを減速させ、水素含有ガスが水素分離膜の面上に滞留する滞留時間を延ばすことによって、下流側の水素含有ガスから水素分離膜に提供される水素提供量を増加させることができる。これに加え、水素回収能力が低下した下流側のパージガスを増速させ、パージガスが水素分離膜の面上から透過水素を取り去るスイープ効果を向上させることによって、下流側のパージガスが透過水素を回収する水素回収量を増加させることができる。この結果、下流側の水素含有ガスの水素提供量の増加と、下流側のパージガスの水素回収量の増加とによって、水素精製装置全体の水素精製効率をより一層向上させることができる。なお、前記減速変化を引き起こすように前記第１のガス流路を形成する前記第１の流路形成部材と、前記増速変化を引き起こすように前記第２のガス流路を形成する前記第２の流路形成部材とのいずれか一方のみを備えた水素精製装置によっても、水素精製効率の向上を図ることができる。
【００２５】
上記した課題を解決するため、本発明の水素抽出方法は、水素を選択的に透過する水素分離膜を用いて、水素を含有する水素含有ガスから、前記水素含有ガスに比べて水素濃度が十分に低いパージガスへと、水素を抽出する水素抽出方法であって、前記水素分離膜の一方の面上に、前記水素含有ガスを、該水素含有ガスの流れの下流側の流速を該流れの上流側よりも減速させて流すとともに、前記水素分離膜の他方の面上に、前記パージガスを、該パージガスの流れの下流側の流速を該流れの上流側よりも増速させて流すことを特徴とする。この水素抽出方法によれば、下流側の水素含有ガスの水素提供量の増加と、下流側のパージガスの水素回収量の増加とによって、水素分離膜全体での水素抽出効率を向上させることができる。なお、前記水素含有ガスの減速と、前記パージガスの増速とのいずれか一方のみを行うことによっても、水素抽出効率の向上を図ることができる。
【発明を実施するための最良の形態】
【００２６】
以上説明した本発明の構成および作用を一層明らかにするために、以下本発明を適用した水素分離膜モジュールについて、次の順序で説明する。
【００２７】
目次
Ａ．実施例
Ａ−（１）．水素分離膜モジュール１０の構成
Ａ−（２）．供給流路プレート１００および回収流路プレート３００の構造
Ａ−（３）．水素分離膜モジュール１０におけるガスの流れ
Ａ−（４）．水素分離膜モジュール１０の製造方法
Ｂ．その他の実施形態
【００２８】
Ａ．実施例：
Ａ−（１）．水素分離膜モジュール１０の構成：
本発明の実施例の１つである水素分離膜モジュール１０の構成について説明する。図１は、水素分離膜モジュール１０の構造を示す組立斜視図である。図２は、図１におけるＡ−Ａ線に沿って水素分離膜モジュール１０を構成する水素分離層１５を切断した形状を示す矢視断面図である。水素分離膜モジュール１０は、図１に示すように、水素を選択的に透過する水素分離膜２００を備えた複数の水素分離層１５を複数積層し、隣接する水素分離層１５同士を接合して構成されている。
【００２９】
水素分離膜モジュール１０を構成する水素分離層１５は、水素分離膜２００の他、水素を含有する水素含有ガスの供給を受け、該水素含有ガスを水素分離膜２００の一方の面上に流す供給ガス流路部１３０を形成する供給流路プレート１００と、水素含有ガスに比べて水素濃度が十分に低いパージガスの供給を受け、該パージガスを水素分離膜２００の他方の面上に流す回収ガス流路部３３０を形成する回収流路プレート３００とを備える。なお、パージガスとして、本実施例では、水蒸気と大気とから成る気体を採用するが、水素と不活性であるとともに、精製した水素を用いる工程で不都合を生じない気体（例えば、ヘリウム）であって、充分に水素濃度が低い気体を目的に応じて適宜選択すれば良い。
【００３０】
水素分離膜２００は、台形状の薄膜であり、その材質は、水素を選択的に透過する性質を有する水素分離金属である。なお、この水素分離金属として、本実施例では、バナジウムを採用するが、パラジウムまたはパラジウム合金（例えば、パラジウム−銀合金）などのパラジウムを含有する金属などの種々の金属からも選択することができる。
【００３１】
供給流路プレート１００および回収流路プレート３００は、それぞれ水素分離膜２００と同じ大きさの台形状の板状部材である台形プレートであり、これらの材質は、各ガスを流す上で充分な強度および耐熱性を有するとともに、ガス不透過な性質を有する金属である。なお、この金属として、本実施例ではステンレスを採用するが、ステンレスなどの金属材料の他、セラミックスなどの種々の材質から選択することができる。供給流路プレート１００および回収流路プレート３００の構造の詳細については後述する。
【００３２】
水素分離層１５は、供給流路プレート１００，水素分離膜２００，回収流路プレート３００を、この順に各々の台形状が重なり合うように積層し、互いに接する面で接合して構成されている。図２に示すように、水素分離膜２００の一方の面上には、供給流路プレート１００によって、６つの供給ガス流路部１３０が形成され、水素分離膜２００の他方の面上には、回収流路プレート３００によって、６つの回収ガス流路部３３０が形成されている。
【００３３】
供給ガス流路部１３０と回収ガス流路部３３０との位置関係は、水素分離膜２００を挟んで対称の関係にある。つまり、供給ガス流路部１３０が接する水素分離膜２００の部分の裏面は、回収ガス流路部３３０が接する水素分離膜２００の部分に重なる。これによって、水素分離膜２００における供給ガス流路部１３０と回収ガス流路部３３０とによって両面を挟まれた部分は、水素の透過が可能な水素透過部２３０となり、供給ガス流路部１３０内における水素含有ガスから、回収ガス流路部３３０内におけるパージガスへと（図２中の矢印方向）、水素の透過が行われることとなる。
【００３４】
Ａ−（２）．供給流路プレート１００および回収流路プレート３００の構造：
供給流路プレート１００の詳細な構造について説明する。図３は、供給流路プレート１００の構造を示す説明図である。図３では、供給流路プレート１００の上面図を示し、水素含有ガスの流れを認識し易くするため、供給流路プレート１００が水素分離膜２００と接する底面部分にハッチングが施されている。
【００３５】
供給流路プレート１００のプレート底面には、水素分離層１５として組み合わされた際に水素含有ガスが流れる種々の部位を形成する溝１９０が設けられている。この溝１９０が形成する種々の部位には、外部からの水素含有ガスの流入を受ける供給流入部１１０と、供給流入部１１０から流入した水素含有ガスの流れを各供給ガス流路部１３０へ分岐する供給分岐部１２０と、前述した６つの供給ガス流路部１３０と、各供給ガス流路部１３０に分岐された水素含有ガスの流れを集合させる供給集合部１４０と、供給集合部１４０からの水素含有ガスを外部に排出する供給排出部１５０とがある。
【００３６】
供給流入部１１０は、供給流路プレート１００の台形状の長辺，短辺，２つの斜辺の４つの辺のうち、一方の斜辺における短辺側の一部に形成されている。供給分岐部１２０は、供給流入部１１０に連通する空間として、供給流路プレート１００の台形状内部の短辺側に形成されている。供給排出部１５０は、供給流入部１１０が形成された斜辺と異なる他方の斜辺における長辺側に形成されている。供給集合部１４０は、供給排出部１５０に連通する空間として、供給流路プレート１００の台形状内部の長辺側に形成されている。
【００３７】
供給ガス流路部１３０の各々は、供給分岐部１２０と供給集合部１４０とを連通する空間として、供給流路プレート１００の台形状内部の供給分岐部１２０と供給集合部１４０と間に形成されている。これらの供給ガス流路部１３０は、供給分岐部１２０側から供給集合部１４０側へと流路幅を漸増させることによって、供給分岐部１２０側から供給集合部１４０側へと流路断面積が漸増するように形成されている。
【００３８】
回収流路プレート３００の詳細な構造について説明する。図４は、回収流路プレート３００の構造を示す説明図である。図４では、回収流路プレート３００の上面図を示し、パージガスの流れを認識し易くするため、回収流路プレート３００が水素分離膜２００と接する上面部分にハッチングが施されている。
【００３９】
回収流路プレート３００のプレート上面には、水素分離層１５として組み合わされた際にパージガスが流れる種々の部位を形成する溝３９０が設けられている。この溝３９０が形成する種々の部位には、外部からのパージガスの流入を受ける回収流入部３１０と、回収流入部３１０から流入したパージガスの流れを各回収ガス流路部３３０へ分岐する回収分岐部３２０と、前述した６つの回収ガス流路部３３０と、各回収ガス流路部３３０に分岐されたパージガスの流れを集合させる回収集合部３４０と、回収集合部３４０からのパージガスを外部に排出する回収排出部３５０とがある。
【００４０】
回収流入部３１０は、回収流路プレート３００の台形状の長辺，短辺，２つの斜辺の４つの辺のうち、一方の斜辺における長辺側の一部に形成されている。回収分岐部３２０は、回収流入部３１０に連通する空間として、回収流路プレート３００の台形状内部の長辺側に形成されている。回収集合部３４０は、回収流入部３１０が形成された斜辺と異なる他方の斜辺における短辺側に形成されている。回収集合部３４０は、回収排出部３５０に連通する空間として、回収流路プレート３００の台形状内部の短辺側に形成されている。
【００４１】
回収ガス流路部３３０の各々は、回収分岐部３２０と回収集合部３４０とを連通する空間として、回収流路プレート３００の台形状内部の回収分岐部３２０と回収集合部３４０と間に形成されている。これらの回収ガス流路部３３０は、回収分岐部３２０側から回収集合部３４０側へと流路幅を漸減させることによって、回収分岐部３２０側から回収集合部３４０側へと流路断面積が漸減するように形成されている。
【００４２】
Ａ−（３）．水素分離膜モジュール１０におけるガスの流れ：
水素分離膜モジュール１０における水素含有ガスおよびパージガスの流れについて説明する。水素分離膜モジュール１０における水素含有ガスおよびパージガスの流れの様子を、図１および図３，図４において、二点差線と矢印とによって示した。
【００４３】
図１および図３に示すように、水素分離膜モジュール１０に供給された水素含有ガスは、供給流路プレート１００が形成する供給流入部１１０から水素分離膜モジュール１０の内部に導入される。水素分離膜モジュール１０の内部では、水素含有ガスは、供給流路プレート１００が形成する供給分岐部１２０，供給ガス流路部１３０，供給集合部１４０の順に通過しつつ、供給流路プレート１００に隣接する水素分離膜２００における水素の透過に供される。供給集合部１４０に導かれた水素含有ガスは、供給排出部１５０を介して、水素分離膜モジュール１０の外部へと排出される。
【００４４】
ここで、供給ガス流路部１３０における水素含有ガスの流速について説明する。前述したように、供給ガス流路部１３０は、供給分岐部１２０側から供給集合部１４０側へと流路断面積が漸増するように形成されている。よって、水素含有ガスを定量的に供給した場合には、供給ガス流路部１３０内の水素含有ガス流量は、全域に及んで同じ流量であることから、水素含有ガスの流速は、供給分岐部１２０側から供給集合部１４０側へと漸減することとなる。
【００４５】
一方、図１および図４に示すように、水素分離膜モジュール１０に供給されたパージガスは、回収流路プレート３００が形成する回収流入部３１０から水素分離膜モジュール１０の内部に導入される。水素分離膜モジュール１０の内部では、パージガスは、回収流路プレート３００が形成する回収分岐部３２０，回収ガス流路部３３０，回収集合部３４０の順に通過しつつ、回収流路プレート３００に隣接する水素分離膜２００から透過した水素の回収に供される。回収集合部３４０に導かれたパージガスは、回収排出部３５０を介して、水素分離膜モジュール１０の外部へと排出される。
【００４６】
ここで、回収ガス流路部３３０におけるパージガスの流速について説明する。前述したように、回収ガス流路部３３０は、回収分岐部３２０側から回収集合部３４０側へと流路断面積が漸減するように形成されている。よって、パージガスを定量的に供給した場合には、回収ガス流路部３３０内のパージガス流量は、全域に及んで同じ流量であることから、パージガスの流速は、回収分岐部３２０側から回収集合部３４０側へと漸増することとなる。
【００４７】
図１および図３，図４に示すように、供給ガス流路部１３０における水素含有ガスの流れ方向は、水素分離膜モジュール１０の台形状の短辺側から長辺側への流れ方向である。その一方、回収ガス流路部３３０におけるパージガスの流れ方向は、水素含有ガスの流れ方向とは逆に、水素分離膜モジュール１０の台形状の長辺側から短辺側への流れ方向である。すなわち、供給ガス流路部１３０における水素含有ガスの流れ方向と、回収ガス流路部３３０におけるパージガスの流れ方向とが対向することとなる。
【００４８】
Ａ−（４）．水素分離膜モジュール１０の製造方法：
水素分離膜モジュール１０の製造方法について説明する。図５は、水素分離膜モジュール１０の製造工程の概略を示す説明図である。
【００４９】
水素分離膜モジュール１０を製造する際には、まず、水素分離膜モジュール１０を構成する複数の水素分離層１５の数に応じた水素分離膜２００および供給流路プレート１００，回収流路プレート３００を用意する（工程Ｓ１００）。
【００５０】
水素分離膜２００は、所定の膜厚のバナジウム箔を既述した台形状に成形することによって用意される。水素分離膜２００の膜厚、すなわち、バナジウム箔の膜厚は、各種のガスを流す際の強度や水素透過効率などを考慮して適宜設定すればよく、例えば、１００マイクロメートル（以下、μｍと表記する）程度に設定することができる。
【００５１】
供給流路プレート１００および回収流路プレート３００は、所定の板厚のステンレス板を既述した台形状に成形するとともに、それぞれに、既述した溝１９０，溝３９０を形成することによって用意される。ステンレス板の板厚や溝深さは、各種のガスを流す際の強度や水素分離膜モジュール１０の小型化などを考慮して適宜設定すればよく、例えば、板厚を１ミリメートル（以下、ｍｍと表記する）程度に設定し、溝深さを０．５ｍｍ程度に設定することができる。ステンレス板に溝１９０，溝３９０を形成する方法としては、金属表面を腐食させるエッチング法の他、切削法やプレス法などの加工方法を採用することができる。
【００５２】
なお、本実施例では、供給流路プレート１００と回収流路プレート３００とが同一形状であり、供給流路プレート１００の表裏を逆にすることによって回収流路プレート３００として用いることができる。つまり、１種類の部品を供給流路プレート１００および回収流路プレート３００として用いることができる。この場合には、供給流入部１１０が回収排出部３５０になり、供給分岐部１２０が回収集合部３４０になり、供給ガス流路部１３０が回収ガス流路部３３０になり、供給集合部１４０が回収分岐部３２０になり、供給排出部１５０が回収流入部３１０となる。
【００５３】
各部材を用意した後（工程Ｓ１００）、これらの部材を、既述した所定の順序，所定の向きとなるように積層する（工程Ｓ２００）。その後、隣接する部材同士を接合することによって（工程Ｓ３００）、水素分離膜モジュール１０が完成する。
【００５４】
隣接する部材同士の接合する方法としては、ロウ付け法や拡散接合法などの接合法方を採用することができる。接合法方にロウ付け法を採用する場合には、各部材を用意する工程（工程Ｓ１００）では、供給流路プレート１００および回収流路プレート３００における積層した際に他の部材と隣接する部位に、銀ロウなどのロウ材を塗布する工程を含み、接合工程（工程Ｓ３００）では、積層工程（工程Ｓ２００）において積層した各部材を、ロウ付け温度に保った炉内に搬入し、ロウ材を溶かし接合を行う。接合法方に拡散接合法を採用する場合には、積層工程（工程Ｓ２００）において積層した各部材を、各部材の融点よりも低い温度で加熱・加圧し、各部材を構成する原子の拡散を利用して接合を行う。
【００５５】
以上説明した本実施例の水素分離膜モジュール１０によれば、水素提供能力が低下した下流側の水素含有ガスを減速させ、水素含有ガスが水素分離膜２００の面上に滞留する滞留時間を延ばすことによって、下流側の水素含有ガスから水素分離膜２００に提供される水素提供量を増加させることができる。一方、水素回収能力が低下した下流側のパージガスを増速させ、パージガスが水素分離膜２００の面上から透過水素を取り去るスイープ効果を向上させることによって、下流側のパージガスが透過水素を回収する水素回収量を増加させることができる。これらの相乗効果によって、水素分離膜モジュール１０全体の水素透過効率を向上させることができる。なお、本実施例では、水素含有ガスの減速変化と、パージガスの増速変化との組み合わせによって水素透過効率の向上を図るが、これらの流速変化の一方のみを引き起こすことによっても水素透過効率の向上を図ることができるのは勿論である。
【００５６】
また、水素分離膜モジュール１０は、水素含有ガスを台形柱の短辺面側から長辺面側の方向に流し、パージガスを台形柱の長辺面側から短辺面側の方向に流すことによって、水素含有ガスの流れ方向とパージガスの流れ方向とが対向する関係とされている。この結果、水素含有ガスとパージガスとの間の水素分圧差が水素分離膜２００全体で確保され、水素分離膜モジュール１０全体の水素透過効率を更に向上させることができる。
【００５７】
また、本実施例の水素分離膜モジュール１０は、供給ガス流路部１３０内における水素含有ガスの流れの上流側よりも下流側で、その幅方向の寸法が大きくなる関係で、供給流路プレート１００および回収流路プレート３００が設けられている。つまり、水素分離膜２００における水素透過部２３０の面積は、台形柱の短辺面側から長辺面側にかけて大きくなっている。そのため、水素提供能力が低下した下流側の水素含有ガスが接触する水素透過部２３０の面積を拡大させることによって、下流側の水素含有ガスから水素分離膜２００に提供される水素提供量を増加させることができる。その結果、前述の効果に加え、水素分離膜モジュール１０全体の水素透過効率を更に向上させることができる。
【００５８】
また、供給流路プレート１００は、供給ガス流路部１３０の幅を水素含有ガスの流れの上流から下流側へと漸増することによって、水素含有ガスの流れの上流側から下流側へ向かうに従って供給ガス流路部１３０の断面積が縮小するように供給ガス流路部１３０を形成する。これによって、水素含有ガスの水素提供能力の低下に伴わせて、その滞留時間を延ばすことができる。その結果、より効果的に減速変化による水素提供量の増加を図ることができる。また、水素分離膜モジュール１０の部品構成を複雑化することなく、減速変化を漸減の状態で引き起こすことができる。
【００５９】
また、回収流路プレート３００は、回収ガス流路部３３０の幅をパージガスの流れの上流側から下流側へと漸減することによって、パージガスの流れの上流側から下流側へ向かうに従って回収ガス流路部３３０の断面積が増加するように回収ガス流路部３３０を形成する。これによって、パージガスの水素回収能力の低下に伴わせて、そのスイープ効果を向上させることができる。その結果、より効果的に増速変化による水素回収量の増加を図ることができる。また、水素分離膜モジュール１０の部品構成を複雑化することなく、増速変化を漸増の状態で引き起こすことができる。
【００６０】
本実施例の供給流路プレート１００および回収流路プレート３００によって構成した台形柱状の水素分離膜モジュール１０は、各ガスの入出部がまとまった位置関係となる。すなわち、台形柱の一方の斜辺面において、全ての供給流入部１１０は短辺面側にまとまり、全ての回収流入部３１０は長辺面側にまとまる。一方、台形柱の他方の斜辺面において、全ての供給排出部１５０は長辺面側にまとまり、全ての回収排出部３５０は短辺面側にまとまる。その結果、各ガスを吸気または排気するための種々のマニホールドを水素分離膜モジュール１０に取り付ける際の、マニホールドの取り付け形状の複雑化を回避することができる。
【００６１】
本実施例の供給流路プレート１００および回収流路プレート３００は、同一形状であるため、水素分離膜モジュール１０を構成する部品の種類を削減することができる。この結果、水素分離膜モジュール１０の製造コスト削減を図ることができる。
【００６２】
水素分離膜モジュール１０は、複数の水素分離層１５を積層することによって、水素分離膜２００の表面積を確保しつつ、水素分離膜モジュール１０全体の大型化を抑制することができる。また、設計変更などを行うことなく、水素分離層１５の増減によって、水素分離膜モジュール１０全体の水素透過容量の調整を容易に行うことができる。なお、水素分離膜モジュール１０は、複数の水素分離層１５を積層した構造ではなく、単層の水素分離層１５を備えた構造としても良い。
【００６３】
Ｂ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。例えば、図６および図７に示した実施形態のように、長方形状にそれぞれ成形された供給流路プレート１０１，１０２、水素分離膜２０１，２０２、回収流路プレート３０１，３０２を順に積層して、長方形状の水素分離層１６，１７を構成することも可能である。
【００６４】
図６に示した実施形態では、供給流路プレート１０１の溝１９１が、水素含有ガスの流れの上流側から下流側へと向かうに従って流路幅が拡大する流路を形成することによって、水素含有ガスの減速変化を引き起こし、回収流路プレート３０１の溝３９１が、パージガスの流れの上流から下流へと向かうに従って流路幅が縮小する流路を形成することによって、パージガスの増速変化を引き起こすこととなる。
【００６５】
図７に示した実施形態では、供給流路プレート１０２の溝１９２が、水素含有ガスの流れの上流側から下流側へと向かうに従って流路高さが拡大する流路を形成することによって、水素含有ガスの減速変化を引き起こし、回収流路プレート３０２の溝３９２が、パージガスの流れの上流から下流へと向かうに従って流路高さが縮小する流路を形成することによって、パージガスの増速変化を引き起こすこととなる。
【００６６】
なお、図６および図７に示した実施形態とは異なり、流路の幅および高さを拡縮し流路断面積を変化させることによって、水素含有ガスの減速変化やパージガスの増速変化を引き起こすことも可能である。
【００６７】
また、図８に示すように、水素含有ガスやパージガスの流路の壁面に凸部１８３，３８３を設けることによって、水素含有ガスの減速変化やパージガスの増速変化を引き起こすことも可能である。図８は、他の実施形態の水素分離層１８を水素含有ガスやパージガスの流れに沿って切断した断面図である。水素分離層１８は、供給流路プレート１０３，水素分離膜２０３，回収流路プレート３０３を順に積層して構成されている。供給流路プレート１０３には、溝１９３によって水素含有ガスの流路が形成され、この流路内における水素含有ガスの流れの上流側から中腹にかけて流路壁面に半球状の凸部１８３が複数設けられている。これらの凸部１８３の大きさは、流路の上流側から中腹に向かうに従って小さくなるように形成されている。これによって、水素含有ガスの減速変化を引き起こすことができる。一方、回収流路プレート３０３には、溝３９３によって水素含有ガスの流路が形成され、この流路内におけるパージガスの流れの下流側から中腹にかけて流路壁面に半球状の凸部３８３が複数設けられている。これらの凸部３８３の大きさは、流路の下流側から中腹に向かうに従って小さくなるように形成されている。これによって、パージガスの増速変化を引き起こすことができる。なお、凸部１８３，３８３の形状は、半球状のものに限るものではなく、流路断面積を狭めることとなる流路壁面から隆起した形状であれば良い。
【００６８】
また、既述した実施例では、水素含有ガスの流れ方向とパージガスの流れ方向とが対向する関係にあるが、これらの方向が直交や斜交の関係にあるものに適用することもできる。また、水素含有ガスの減速変化、パージガスの増速変化の一方を実現するものであっても良い。
【００６９】
また、水素含有ガスやパージガスの流路の数は、既述した実施例の数に限定するものではなく、単一の流路としても良いし、２以上の流路としても良い。２以上の流路とした場合には、単一の流路とした場合に比べて、ガスの流れの乱れを整える整流効果を向上させることができる。
【００７０】
また、水素分離膜モジュール１０の内部の金属表面にパラジウム鍍金を施しても良い。これによって、水素透過性能に優れるが酸化し易いバナジウムから成る水素分離膜２００の表面が、耐酸化性能に優れるパラジウム皮膜でコーティングされるため、水素分離膜２００における水素透過性能を確保しつつ水素分離膜２００の劣化を抑制することができる。
【図面の簡単な説明】
【００７１】
【図１】水素分離膜モジュール１０の構造を示す組立斜視図である。
【図２】図１におけるＡ−Ａ線に沿って水素分離膜モジュール１０を構成する水素分離層１５を切断した形状を示す矢視断面図である。
【図３】供給流路プレート１００の構造を示す説明図である。
【図４】回収流路プレート３００の構造を示す説明図である。
【図５】水素分離膜モジュール１０の製造工程の概略を示す説明図である。
【図６】他の実施形態の水素分離層１６の構造を示す組立斜視図である。
【図７】他の実施形態の水素分離層１７の構造を示す組立斜視図である。
【図８】他の実施形態の水素分離層１８を水素含有ガスやパージガスの流れに沿って切断した断面図である。
【符号の説明】
【００７２】
１０...水素分離膜モジュール
１５，１６，１７，１８...水素分離層
１００，１０１，１０２，１０３...供給流路プレート
１１０...供給流入部
１２０...供給分岐部
１３０...供給ガス流路部
１４０...供給集合部
１５０...供給排出部
１９０，１９１，１９２，１９３...溝
２００...水素分離膜
２３０...水素透過部
３００，３０１，３０２，３０３...回収流路プレート
３１０...回収流入部
３２０...回収分岐部
３３０...回収ガス流路部
３４０...回収集合部
３５０...回収排出部
３９０，３９１，３９２，３９３...溝
【図１】
2005199117.tif 000003
【図２】
2005199117.tif 000004
【図３】
2005199117.tif 000005
【図４】
2005199117.tif 000006
【図５】
2005199117.tif 000007
【図６】
2005199117.tif 000008
【図７】
2005199117.tif 000009
【図８】
2005199117.tif 000010